(57)【要約】      （修正有）【課題】観客が階段状の通路を歩いて上り下りしても着座者が揺れを感じることがない椅子を提供する。【解決手段】複数本の腕材がそれぞれ後端部を貫材４に結合され、貫材４に設けられたローラー支持金具１３が、上側の段の腕材の下面に当接してその腕材を進退移動可能に支持する腕材支持ローラー１５を支持しており、複数段の床台１が、互いに階段状にずれる進出位置と、互いに上下方向に整列する後退位置との間で移動し得るとともに、その進出位置で複数段の床台１の床材が階段状の通路を形成する伸縮式の移動観覧席において、各床台１の通路部分に関しては、通路用床材６Ｂを支持する通路用腕材５Ｂに当接する腕材支持ローラー１５が、ローラー支持金具１３に昇降移動自在に支持され、腕材支持ローラー１５とローラー支持金具１３との間に弾性部材２０が介挿されているものである。【選択図】図７
2011117228.tif 000002
【特許請求の範囲】
【請求項１】
複数段の床台（１）と、前記各床台を水平状態で移動可能に支持する脚部（２）と、前記各床台上に装着された複数個の椅子（３）と、を具え、
前記各床台が、前記椅子の左右方向に水平に延在する貫材（４）と、前記貫材の長手方向に間隔が空いた複数の部位に配置されてその貫材から前記椅子の前方向へ水平に突出する複数本の腕材（５）と、それら複数本の腕材上に張り渡された床材（６）と、を有し、
前記脚部が、前記各貫材の長手方向に間隔が空いた複数の部位に上端部をそれぞれ結合されてその貫材から下方に延在する複数本の支柱（７）と、それらの支柱の下端部に後端部付近をそれぞれ結合されて前記腕材と平行に延在する複数本の脚材（８）と、それらの脚材の前端部および後端部にそれぞれ設けられた複数個の移動用ローラー（９）と、を有し、
前記複数本の腕材がそれぞれ後端部を、前記貫材（４）と前記支柱（７）との少なくとも一方に結合され、
前記貫材または前記支柱に設けられたローラー支持金具（１３）が、上側の段の前記腕材の下面に当接してその腕材を進退移動可能に支持する腕材支持ローラー（１５）を支持しており、
前記複数本の支柱の長さが前記床台毎に床台間の段差分ずつ異なるとともに、前記複数本の支柱の上端部が結合される前記貫材の部位の間隔が前記床台毎に少しずつ異なることで、前記複数段の床台が、互いに階段状にずれる進出位置と、互いに上下方向に整列する後退位置との間で水平状態のまま移動し得るとともに、その進出位置での前記複数段の床台の前記床材が階段状の通路を形成する、伸縮式の移動観覧席において、
前記各床台（１）の、少なくとも前記通路を形成する部分（６Ｂ）を支持する前記腕材（５Ｂ）に当接する前記腕材支持ローラー（１５）が、前記ローラー支持金具（１３）に昇降移動自在に支持され、
前記腕材支持ローラーと前記ローラー支持金具との間に、前記腕材支持ローラーの下降移動により弾性変形されるように弾性部材（２０）が介挿されていることを特徴とする、移動観覧席。
【請求項２】
前記腕材支持ローラー（１５）が、昇降ブラケット（１６）に軸支され、
前記昇降ブラケットが、前記ローラー支持金具（１３）に昇降移動自在に支持され、
前記昇降ブラケットと、前記ローラー支持金具との間に前記弾性部材（２０）が介挿されていることを特徴とする、請求項１記載の移動観覧席。
【請求項３】
前記腕材支持ローラー（１５）が、揺動ブラケット（２２）の上部に軸支され、
前記揺動ブラケットが、前記ローラー支持金具（１３）に、その揺動ブラケットの上部が上下方向へ揺動すると下部が水平方向へ揺動するように揺動自在に軸支され、
前記揺動ブラケットの下部と、前記ローラー支持金具との間に前記弾性部材（２０）が介挿されていることを特徴とする、請求項１記載の移動観覧席。
【請求項４】
前記弾性部材（２０）は、コイルスプリングであることを特徴とする、請求項１から３までの何れか１項記載の移動観覧席。
【請求項５】
前記複数段の床台（１）の何れかが、前記腕材（５）として、座席用腕材（５Ａ）と通路用腕材（５Ｂ）とを有するとともに、前記床材（６）として、互いに独立した座席用床材（６Ａ）と通路用床材（６Ｂ）とを有し、さらに前記貫材（４）として、互いに独立した座席用貫材（４Ａ）と通路用貫材（４Ｂ）とを有しており、
前記座席用床材（６Ａ）が前記座席用腕材（５Ａ）によって前記座席用貫材（４Ａ）と前記支柱（７）との少なくとも一方に支持されるとともに、
前記通路用床材（６Ｂ）が前記通路用腕材（５Ｂ）によって前記通路用貫材（４Ｂ）と前記支柱（７）との少なくとも一方に支持されていることを特徴とする、請求項１から４までの何れか１項記載の移動観覧席。
【請求項６】
前記複数段の床台（１）の何れかが、前記腕材（５）として、座席用腕材（５Ａ）と通路用腕材（５Ｂ）とを有するとともに、前記床材（６）として、互いに独立した座席用床材（６Ａ）と通路用床材（６Ｂ）とを有し、さらに前記貫材（４）を１本のみ有し、
前記貫材（４）に、前記座席用腕材（５Ａ）と前記通路用腕材（５Ｂ）との少なくとも一方が結合されていることを特徴とする、請求項１から４までの何れか１項記載の移動観覧席。
【発明の詳細な説明】
【技術分野】
【０００１】
この発明は、それぞれ複数個の椅子が装着された複数段の床台が、互いに階段状にずれる進出位置と、互いに上下方向に整列する後退位置との間で水平状態のまま移動する、伸縮式の移動観覧席に関し、特には、その移動観覧席の階段状の通路の構造に関するものである。
【背景技術】
【０００２】
上述の如き移動観覧席としては従来、例えば本願出願人が先に特許文献１にて開示したものが知られている。この移動観覧席は、図１７にその中間の二段について示すように、複数段の床台１と、各床台１を水平状態で移動可能に支持する脚部２と、各床台１上に起倒可能に装着された複数個の座起立型椅子３とを具えており、各床台１は、椅子３の左右方向に水平に延在する貫材４と、その貫材４の長手方向に間隔が空いた複数の部位に後端部をそれぞれ結合されてその貫材４から椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、高い方の段では支柱７の後面側にその支柱７の補強のための傾斜ブレース１０を有している。
【０００３】
そしてこの移動観覧席においては、上記複数本の支柱７の長さが床台１毎に床台１間の段差分ずつ異なるとともに、複数本の支柱７の上端部が結合される貫材４の部位の間隔が床台１毎に少しずつ異なることで、複数段の床台１が、互いに階段状にずれる進出位置と、互いに上下方向に整列する後退位置との間で水平状態のまま移動することができ、その後退位置に移動させる際は、各椅子３を前方に倒して床材６間に収納する。
【０００４】
さらにこの移動観覧席においては、複数本の腕材５の全てを、支柱７を介さず貫材４に直接的に結合することで、移動観覧席の現場での組み立てを容易ならしめるとともに各段の床台１間での腕材５および床材６の共通化を図っている。なお、従来の移動観覧席としては、複数本の腕材５の全部または一部を、支柱７のみに結合したり、支柱７と貫材４との両方に結合したりしたものも知られている。
【先行技術文献】
【特許文献】
【０００５】
【特許文献１】特許第３９０３３５４号
【発明の概要】
【発明が解決しようとする課題】
【０００６】
ところで、本願発明者は上記従来の移動観覧席についてさらに研究を進めたところ、以下の如き改良の余地を見出した。すなわち、上記従来の移動観覧席の複数段の床台１は、上記進出位置にある際にそれらの床台１間で観客が移動できるように階段状の通路を形成する。その一方、各床台１の床材６は貫材４に沿って床台１の両側端間で延在しており、各床台１の床材６の、椅子３が設けられた座席用部分と階段状の通路を形成する通路用部分とは、互いに一体に繋がっている。
【０００７】
また、各腕材５は、図１８に拡大して示すように、その腕材５の後端部に立設したブラケット１２を、上部が段付きの角筒状の腕材取付け金具１３の下端部に上下方向揺動可能に軸支し、その腕材取付け金具１３を貫材４に二本のボルトで固定することで、貫材４に結合されており、腕材取付け金具１３の後端部には、腕材５の揺動限位置を規定して腕材５の水平を出すためにストッパーボルト１４を下方への突出量を調整可能に設けている。また、腕材取付け金具１３の上部の段部は、上側の段の腕材５を進退移動可能に支持する腕材支持ローラー１５を支持しており、このため腕材取付け金具１３は、ローラー支持金具としても機能する。ここで、腕材支持ローラー１５は、貫材４の延在方向へ延在する水平軸線周りに回転自在にコ字状の昇降ブラケット１６に軸支されており、その昇降ブラケット１６の底部に頭部を溶接固定したボルト１７を、そのネジ部に螺合した二つのナット１８で腕材取付け金具１３の段部に高さ調節可能に固定することで、この腕材支持ローラー１５は、上側の段の腕材５の下面に当接してその腕材５を高い剛性で支持している。
【０００８】
それゆえ、上記従来の移動観覧席では、観客が床材６の通路用部分を歩いて階段状の通路を上り下りして通路用部分に断続的に荷重を加えると、その荷重による振動が床材６の通路用部分から腕材支持ローラー１５および腕材取付け金具１３を介して下の段の腕材５に伝わり、さらにその腕材５からその段の床材６の、椅子３が設けられた座席用部分に伝わって、椅子３の着座者が揺れを感じてしまい、特に観客が通路を下る際に、観客から加わる荷重が衝撃的なものとなるためこの揺れが顕著になるという不都合があった。
【課題を解決するための手段】
【０００９】
この発明は、上記従来の移動観覧席の課題を有利に解決するものであり、この発明の移動観覧席は、複数段の床台と、前記各床台を水平状態で移動可能に支持する脚部と、前記各床台上に装着された複数個の椅子と、を具え、前記各床台が、前記椅子の左右方向に水平に延在する貫材と、前記貫材の長手方向に間隔が空いた複数の部位に配置されてその貫材から前記椅子の前方向へ水平に突出する複数本の腕材と、それら複数本の腕材上に張り渡された床材と、を有し、前記脚部が、前記各貫材の長手方向に間隔が空いた複数の部位に上端部をそれぞれ結合されてその貫材から下方に延在する複数本の支柱と、それらの支柱の下端部に後端部付近をそれぞれ結合されて前記腕材と平行に延在する複数本の脚材と、それらの脚材の前端部および後端部にそれぞれ設けられた複数個の移動用ローラーと、を有し、前記複数本の腕材がそれぞれ後端部を、前記貫材と前記支柱との少なくとも一方に結合され、前記貫材または前記支柱に設けられたローラー支持金具が、上側の段の前記腕材の下面に当接してその腕材を進退移動可能に支持する腕材支持ローラーを支持しており、前記複数本の支柱の長さが前記床台毎に床台間の段差分ずつ異なるとともに、前記複数本の支柱の上端部が結合される前記貫材の部位の間隔が前記床台毎に少しずつ異なることで、前記複数段の床台が、互いに階段状にずれる進出位置と、互いに上下方向に整列する後退位置との間で水平状態のまま移動し得るとともに、その進出位置での前記複数段の床台の前記床材が階段状の通路を形成する、伸縮式の移動観覧席において、前記各床台の、少なくとも前記通路を形成する部分を支持する前記腕材に当接する前記腕材支持ローラーが、前記ローラー支持金具に昇降移動自在に支持され、前記腕材支持ローラーと前記ローラー支持金具との間に、前記腕材支持ローラーの下降移動により弾性変形されるように弾性部材が介挿されていることを特徴とするものである。
【発明の効果】
【００１０】
上述したこの発明の移動観覧席にあっては、複数段の床台の各々の、少なくとも通路を形成する部分を支持する腕材に下側から当接する腕材支持ローラーが、ローラー支持金具に昇降移動自在に支持され、それら腕材支持ローラーとローラー支持金具との間に、腕材支持ローラーの下降移動により弾性変形されるように弾性部材が介挿されているので、複数段の床台が互いに階段状にずれる進出位置で、それらの床台の床材の、階段状の通路を形成する通路用部分を観客が歩いて上り下りしてその通路用部分に荷重が加わり、特に観客が通路を下る際にその荷重が衝撃的なものとなっても、その荷重で腕材支持ローラーが下降移動するとともに弾性部材が弾性変形して荷重の起ち上がりを穏やかにする。このため、貫材または支柱の高い剛性によって支持されたローラー支持金具にはその通路用部分への荷重による振動が殆ど伝わらず、それゆえ床材の、貫材あるいは支柱に別個の腕材を介して高い剛性で支持されている、椅子が設けられた座席用部分には、振動は殆どもしくは全く伝達されない。
【００１１】
従って、この発明の移動観覧席によれば、観客が床材の通路用部分上を歩いて階段状の通路を上り下りしても、その通路用部分に加わる荷重による振動が床材の座席用部分に伝わって椅子の着座者が揺れを感じることがないので、着座者の安定感を向上させることができる。また床台の床材の、階段状の通路を形成する通路用部分を観客が歩いて上り下りする際に、その通路用部分に加わる荷重の起ち上がりを弾性部材が穏やかにするので、観客の足に通路から加わる反力の起ち上がりも穏やかにし得て、通路を歩く観客の膝への負担も軽減することができる。
【００１２】
なお、この発明の移動観覧席においては、前記腕材支持ローラーが、昇降ブラケットに軸支され、前記昇降ブラケットが、前記ローラー支持金具に昇降移動自在に支持され、前記昇降ブラケットと、前記ローラー支持金具との間に前記弾性部材が介挿されていると好ましい。
【００１３】
かかる構成によれば、腕材支持ローラーを軸支する昇降ブラケットが、ローラー支持金具に昇降移動自在に支持されていて、それら昇降ブラケットとローラー支持金具との間に弾性部材が介挿されていることから、昇降ブラケットとローラー支持金具と弾性部材とが上下に整列して配置されるので、腕材支持ローラーをローラー支持金具で昇降移動自在に支持する構造を簡易かつコンパクトに構成することができる。
【００１４】
一方、この発明の移動観覧席においては、前記腕材支持ローラーが、揺動ブラケットの上部に軸支され、前記揺動ブラケットが、前記ローラー支持金具に、その揺動ブラケットの上部が上下方向へ揺動すると下部が水平方向へ揺動するように揺動自在に軸支され、前記揺動ブラケットの下部と、前記ローラー支持金具との間に前記弾性部材が介挿されていても好ましい。
【００１５】
かかる構成によれば、腕材支持ローラーの下降移動により弾性部材が水平方向へ弾性変形されるので、腕材支持ローラーを上側の段の腕材の下面に当接させるとともに弾性部材を予備変形させるように揺動ブラケットの所期位置を調節する際にその調節を水平方向から行い得て、その調節を容易に行うことができる。
【００１６】
さらに、この発明の移動観覧席においては、前記弾性部材は、コイルスプリングであると好ましい。かかる構成によれば、コイルスプリングは、昇降ブラケットや揺動ブラケットの所期位置を規定するボルト等に挿通することで所定位置に配置することができるので、弾性部材を腕材支持ローラーとローラー支持金具との間に介挿する構造を簡易かつコンパクトに構成することができる。
【００１７】
さらに、この発明の移動観覧席においては、前記複数段の床台の何れかが、前記腕材として、座席用腕材と通路用腕材とを有するとともに、前記床材として、互いに独立した座席用床材と通路用床材とを有し、さらに前記貫材として、互いに独立した座席用貫材と通路用貫材とを有しており、前記座席用床材が前記座席用腕材によって前記座席用貫材と前記支柱との少なくとも一方に支持されるとともに、前記通路用床材が前記通路用腕材によって前記通路用貫材と前記支柱との少なくとも一方に支持されていると好ましい。
【００１８】
かかる構成によれば、座席用床材と通路用床材とが互いに独立するとともに、座席用貫材と通路用貫材とが互いに独立しているので、複数段の床台が互いに階段状にずれる進出位置で、それらの床台の通路用床材が形成する階段状の通路を観客が歩いて上り下りしてその通路用床材が、通路用腕材を支持する腕材支持ローラーとローラー支持金具との間の弾性部材の弾性変形により上下に振動し、その振動がローラー支持金具を介して通路用貫材に伝達されて通路用貫材が多少振動しても、その振動は剛性の高い支柱に伝達された段階で概ねなくなり、座席用貫材には殆どもしくは全く伝達されないから、その座席用貫材にさらに別個の座席用腕材を介して支持された座席用床材には実質的に全く伝達されない。従って、着座者の安定感をより向上させることができる。
【００１９】
一方、この発明の移動観覧席においては、前記複数段の床台の何れかが、前記腕材として、座席用腕材と通路用腕材とを有するとともに、前記床材として、互いに独立した座席用床材と通路用床材とを有し、さらに前記貫材を１本のみ有し、前記貫材に、前記座席用腕材と前記通路用腕材との少なくとも一方が結合されていても好ましい。
【００２０】
かかる構成によれば、座席用床材と通路用床材とが座席用腕材と通路用腕材とによってそれぞれ１本のみの貫材と、支柱との少なくとも一方に支持されているので、複数段の床台が互いに階段状にずれる進出位置で、それらの床台の通路用床材が形成する階段状の通路を観客が歩いて上り下りしてその通路用床材が、通路用腕材を支持する腕材支持ローラーとローラー支持金具との間の弾性部材の弾性変形により上下に振動しても、その振動がローラー支持金具を介して１本の貫材と支柱との少なくとも一方に伝達された段階で貫材や支柱の高い剛性によって概ねなくなり、その貫材に、あるいはその貫材に結合された別個の支柱に、別個の座席用腕材を介して支持された座席用床材には、殆どもしくは全く伝達されない。従って、この構成でも着座者の安定感をより向上させることができる。
【図面の簡単な説明】
【００２１】
【図１】この発明の移動観覧席の一実施例をその複数段の床台が互いに階段状にずれた進出位置にある状態で示す側面図である。
【図２】上記実施例の移動観覧席をその複数段の床台が互いに上下方向に整列した後退位置にある状態で示す側面図である。
【図３】上記実施例の移動観覧席の全体を、椅子を省略して示す背面図である。
【図４】上記実施例の移動観覧席の中間の二段の支柱から上の部分を、椅子を省略して示す斜視図である。
【図５】上記実施例の移動観覧席の中間の二段の階段状の通路を示す斜視図である。
【図６】（ａ），（ｂ）は、上記実施例の移動観覧席の中間の段で、座席用床材が座席用腕材によって座席用貫材に支持されている状態を示す側面図および背面図である。
【図７】（ａ），（ｂ）は、上記実施例の移動観覧席の中間の段で、通路用床材が通路用腕材によって通路用貫材に支持されている状態を示す側面図および背面図である。
【図８】（ａ），（ｂ）は、図７（ａ）の通路用腕材によって通路用貫材に支持されている通路用床材の、人の荷重が加わっていない状態および加わっている状態をそれぞれ拡大して示す側面図である。
【図９】（ａ），（ｂ）は、上記実施例の一変形例の移動観覧席の中間の段で、通路用床材が通路用腕材によって通路用貫材に支持されている状態を示す側面図および背面図である。
【図１０】（ａ），（ｂ）は、図９（ａ）の通路用腕材によって通路用貫材に支持されている通路用床材の、人の荷重が加わっていない状態および加わっている状態をそれぞれ拡大して示す側面図である。
【図１１】この発明の移動観覧席の他の一実施例の中間の二段の支柱から上の部分を椅子を省略して示す斜視図である。
【図１２】（ａ），（ｂ）は、上記実施例の移動観覧席の中間の段で、通路用床材が通路用腕材によって通路用貫材に支持されている状態を示す側面図および背面図である。
【図１３】（ａ），（ｂ）は、図１２（ａ）の通路用腕材によって通路用貫材に支持されている通路用床材の、人の荷重が加わっていない状態および加わった状態をそれぞれ拡大して示す側面図である。
【図１４】（ａ），（ｂ）は、上記実施例の一変形例の移動観覧席の中間の段で、通路用床材が通路用腕材によって通路用貫材に支持されている状態を示す側面図および背面図である。
【図１５】（ａ），（ｂ）は、図１４（ａ）の通路用腕材によって通路用貫材に支持されている通路用床材の、人の荷重が加わっていない状態および加わった状態をそれぞれ拡大して示す側面図である。
【図１６】（ａ），（ｂ）は、上記実施例の他の一変形例の移動観覧席の中間の段で、通路用腕材によって通路用貫材に支持されている通路用床材の、人の荷重が加わっていない状態および加わった状態をそれぞれ拡大して示す側面図である。
【図１７】従来の移動観覧席の中間の二段の構成を示す斜視図である。
【図１８】上記従来の移動観覧席の貫材への腕材の結合構造を拡大して示す側面図である。
【発明を実施するための形態】
【００２２】
以下、この発明の実施の形態を図面に基づく実施例によって詳細に説明する。ここに、図１は、この発明の移動観覧席の一実施例をその複数段の床台が互いに階段状にずれた進出位置にある状態で示す側面図、図２は、上記実施例の移動観覧席をその複数段の床台が互いに上下方向に整列した後退位置にある状態で示す側面図、図３は、上記実施例の移動観覧席の全体を椅子を省略して示す背面図、図４は、上記実施例の移動観覧席の中間の二段の支柱から上の部分を椅子を省略して示す斜視図、図５は、上記実施例の移動観覧席の中間の二段の通路を示す斜視図、図６（ａ），（ｂ）は、上記実施例の移動観覧席の中間の段で、座席用床材が座席用腕材によって座席用貫材に支持されている状態を示す側面図および背面図、図７（ａ），（ｂ）は、上記実施例の移動観覧席の中間の段で、通路用床材が通路用腕材によって通路用貫材に支持されている状態を示す側面図および背面図、そして図８（ａ），（ｂ）は、図７（ａ）の通路用腕材によって通路用貫材に支持されている通路用床材の、人の荷重が加わっていない状態および加わった状態をそれぞれ拡大して示す側面図である。
【００２３】
この実施例の移動観覧席も、図１６に示す従来の移動観覧席と同様、複数段の床台１と、各床台１を水平状態で移動可能に支持する脚部２と、各床台１上に起倒可能に装着された複数個の座起立型椅子３とを具えており、各床台１は、椅子３の左右方向に水平に延在する貫材４と、その貫材４の長手方向に間隔が空いた複数の部位に後端部をそれぞれ結合されてその貫材４から椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、３段目から５段目までの段では支柱７の後面側にその支柱７の補強のための傾斜ブレース１０を有している。
【００２４】
そしてこの実施例の移動観覧席においても、図３に示すように、上記複数本の支柱７の長さが床台１毎に床台１間の段差分ずつ異なって、床台１が低くなるにつれて支柱７の長さが短くなるとともに、複数本の支柱７の上端部が結合される貫材４の部位の間隔が床台１毎に少しずつ異なって、床台１が低くなるにつれて支柱７の間隔が短くなることで、複数段の床台１が、図１に示す、互いに階段状にずれる進出位置と、図２に示す、互いに上下方向に整列する後退位置との間で水平状態のまま移動することができ、最上段の床台１の脚材８の両外側には、床面Ｆ上に固設された二本のガイドレール１１とそれぞれ当接する小さなガイドローラーが設けられていて、それらのガイドローラーとガイドレール１１との当接による案内により、各床台１は所定方向へ進退移動することができ、図２に示すように、後退位置に移動させる際は、各椅子３を前方に倒して床材６間に収納する。
【００２５】
さらにこの実施例の移動観覧席においても、複数本の腕材５の全てを、支柱７を介さず貫材４に直接的に結合することで、移動観覧席の現場での組み立てを容易ならしめるとともに各段の床台１間での腕材５および床材６の共通化を図っており、このためこの実施例の移動観覧席でも、図６に示すように、貫材４は、支柱７に一体的に結合されない腕材５の先端部の下がりを防止すべく捩じり剛性を高めるために角鋼管からなるものとされ、また腕材５は、先端部の下がりを防止すべく曲げ剛性を高めるために、鋼板を溝型に曲げ加工した下材と平坦な鋼板の上材とを溶接接合して形成されている。
【００２６】
しかしてこの実施例の移動観覧席では、各床台１が、腕材５として座席用腕材５Ａと通路用腕材５Ｂとを有しており、各腕材５（座席用腕材５Ａおよび通路用腕材５Ｂ）は、図６および図７に示すように、その腕材５の後端部に溶接したブラケット１２を、上部が段付きの角筒状に鋼板から組み立てた腕材取付け金具１３の下端部に上下方向揺動可能に軸支し、その腕材取付け金具１３を貫材４に二本のボルトで固定することで、貫材４に結合されており、腕材取付け金具１３の後端部には、腕材５の揺動限位置を規定して腕材５の水平を出すためにストッパーボルト１４を、下方への突出量を調整可能に設けている。また腕材取付け金具１３の上部の段部は、上側の段の腕材５を進退移動可能に支持する腕材支持ローラー１５を支持しており、このため腕材取付け金具１３は、ローラー支持金具としても機能する。
【００２７】
そして、座席用腕材５Ａについては、図６に示すように、腕材支持ローラー１５が、貫材４の延在方向へ延在する水平軸線周りに回転自在に、後方から見てコ字状をなす昇降ブラケット１６に軸支され、その昇降ブラケット１６の側部を腕材取付け金具１３の段部より上の側面に摺接させることで、腕材支持ローラー１５の向きを座席用腕材５Ａの延在方向に維持するとともに、その昇降ブラケット１６の底部に頭部を溶接固定したボルト１７を、そのネジ部に螺合した二つのナット１８で腕材取付け金具１３の段部に高さ調節可能に固定し、この腕材支持ローラー１５を上側の段の座席用腕材５Ａの下面に当接させることで、その座席用腕材５Ａを高い剛性で支持している。
【００２８】
その一方、通路用腕材５Ｂについては、図７に示すように、腕材支持ローラー１５が、貫材４の延在方向へ延在する水平軸線周りに回転自在に昇降ブラケット１６に軸支され、その昇降ブラケット１６の側部を腕材取付け金具１３の段部より上の側面に摺接させることで、腕材支持ローラー１５の向きを通路用腕材５Ｂの延在方向に維持するものの、この腕材支持ローラー１５は、その昇降ブラケット１６の底部に頭部を溶接固定したボルト１７をそのネジ部に螺合した一つのナット１８で腕材取付け金具１３の段部の下面に掛止することで高さ調節可能とされている。
【００２９】
また腕材支持ローラー１５は、上記ボルト１７のネジ部の下部を挿通される貫通孔を持つボルト支持板１９を腕材取付け金具１３の内部に固設することで、腕材取付け金具１３に昇降移動自在にかつ倒れないように支持され、さらにボルト１７のネジ部に挿通した弾性部材としてのコイルスプリング２０を昇降ブラケット１６の下面と腕材取付け金具１３の段部の上面との間に介挿することで、そのコイルスプリング２０により上向きに付勢されており、これにより腕材支持ローラー１５は、複数段の床台１が上記後退位置にある状態であらかじめナット１８をボルト１７の頭部に近づくように締め込む（回転させる）ことによりコイルスプリング２０を圧縮しながら下げられ、その後、複数段の床台１が上記進出位置にある状態でナット１８をボルト１７の頭部から離れるように緩める（回転させる）ことによりコイルスプリング２０の弾性力で上昇し、上側の段の通路用腕材５Ｂの下面に当接してその通路用腕材５Ｂを弾性的に支持する。
【００３０】
さらに、この実施例の移動観覧席では、図４〜図７に示すように、各床台１が貫材４として、互いに独立した座席用貫材４Ａと通路用貫材４Ｂとを有しており、座席用貫材４Ａの上側に通路用貫材４Ｂが配置されることで、それら座席用貫材４Ａと通路用貫材４Ｂとが互いに上下方向に整列して各々支柱７の上端部の前面に結合されている。また、各床台１が、床材６として、互いに独立した座席用床材６Ａと通路用床材６Ｂとを有しており、座席用床材６Ａは座席用腕材５Ａによって座席用貫材４Ａに支持される一方、通路用床材６Ｂは通路用腕材５Ｂによって通路用貫材４Ｂに支持されている。
【００３１】
そして通路用床材６Ｂ上には、図５および図７に示すように、床台１間の段差の約半分の高さの補助ステップ２１が固設されていて、それら通路用床材６Ｂと補助ステップ２１とが、互いに階段状にずれる進出位置の複数段の床台１において図５に示すように階段状の通路を形成する。なお、座席用床材６Ａと通路用床材６Ｂとの隙間には、座席用床材６Ａと通路用床材６Ｂとの間で振動を伝達せずにその隙間を塞ぐゴム製の見切り材６Ｃが介装されている。
【００３２】
かかるこの実施例の移動観覧席にあっては、複数段の床台１の各々の、通路を形成する部分である通路用床材６Ｂを支持する通路用腕材５Ｂに下側から当接する腕材支持ローラー１５が、ローラー支持金具としても機能する腕材取付け金具１３に昇降移動自在に支持され、それら腕材支持ローラー１５と腕材取付け金具１３との間に、腕材支持ローラー１５の下降移動により弾性圧縮変形されるようにコイルスプリング２０が介挿されていることから、複数段の床台１が互いに階段状にずれる進出位置で、図８（ｂ）に示すように、それらの床台１の床材６のうち、階段状の通路を形成する通路用床材６Ｂを観客が歩いて上り下りしてその通路用床材６Ｂに荷重Ｗが加わり、特に観客が通路を下る際にその荷重Ｗが衝撃的なものとなっても、その荷重Ｗで腕材支持ローラー１５が下降移動するとともにコイルスプリング２０が弾性圧縮変形して、腕材取付け金具１３が受ける荷重の起ち上がりを穏やかにする。これにより、通路用貫材４Ｂの高い剛性によって支持された腕材取付け金具１３にはその通路用床材６Ｂへの荷重Ｗによる振動が殆ど伝わらず、それゆえ床材６のうち、座席用貫材４Ａに別個の座席用腕材５Ａを介して高い剛性で支持されている、椅子３が設けられた座席用床材６Ａには、振動は殆どもしくは全く伝達されない。
【００３３】
従って、この実施例の移動観覧席によれば、観客が床材６のうち通路用床材６Ｂ上を歩いて階段状の通路を上り下りしても、その通路用床材６Ｂに加わる荷重Ｗによる振動が床材６のうち座席用床材６Ａに伝わって椅子３の着座者が揺れを感じることがないので、着座者の安定感を向上させることができる。また通路用床材６Ｂを観客が歩いて上り下りする際に、その通路用床材６Ｂに加わる荷重の起ち上がりをコイルスプリング２０が穏やかにするので、観客の足に通路用床材６Ｂから加わる反力の起ち上がりも穏やかにし得て、通路を歩く観客の膝への負担も軽減することができる。
【００３４】
しかも、この実施例の移動観覧席によれば、腕材支持ローラー１５が、昇降ブラケット１６に軸支され、その昇降ブラケット１６が、腕材取付け金具１３に昇降移動自在に支持され、昇降ブラケット１６と腕材取付け金具１３との間にコイルスプリング２０が介挿されていることから、それら昇降ブラケット１６と腕材取付け金具１３とコイルスプリング２０とが上下に整列して配置されるので、腕材支持ローラー１５を腕材取付け金具１３で昇降移動自在に支持する構造を簡易かつコンパクトに構成することができる。
【００３５】
そして、この実施例の移動観覧席によれば、弾性部材がコイルスプリング２０であり、コイルスプリング２０は、昇降ブラケット１６の所期位置を規定するボルト１７に挿通することで所定位置に配置することができるので、弾性部材を腕材支持ローラー１５と腕材取付け金具１３との間に介挿する構造を簡易かつコンパクトに構成することができる。
【００３６】
さらに、この実施例の移動観覧席によれば、複数段の床台１の各々が、その床材６として、互いに独立した座席用床材６Ａと通路用床材６Ｂとを有するとともに、その貫材４として、互いに独立した座席用貫材４Ａと通路用貫材４Ｂとを有しており、座席用床材６Ａが座席用腕材５Ａによって座席用貫材４Ａに支持されるとともに、通路用床材６Ｂが通路用腕材５Ｂによって通路用貫材４Ｂに支持されているので、複数段の床台１が互いに階段状にずれる進出位置で、それらの床台１の通路用床材６Ｂが補助ステップ２１とともに形成する階段状の通路を観客が歩いて上り下りしてその通路用床材６Ｂが、通路用腕材５Ｂを支持する腕材支持ローラー１５と腕材取付け金具１３との間のコイルスプリング２０の弾性変形により上下に振動し、その振動が腕材取付け金具１３を介して通路用貫材４Ｂに伝達されて通路用貫材４Ｂが多少振動しても、その振動は剛性の高い支柱２に伝達された段階で概ねなくなり、座席用貫材４Ａには殆どもしくは全く伝達されないから、その座席用貫材４Ａにさらに別個の座席用腕材５Ａを介して支持された座席用床材６Ａには実質的に全く伝達されない。従って、着座者の安定感をより向上させることができる。
【００３７】
そして、この実施例の移動観覧席によれば、座席用貫材４Ａと通路用貫材４Ｂとが、互いに上下方向に整列して支柱７の上端部の前面に結合されているので、上の段の脚部２が支柱７の後面側に補強のための傾斜ブレース１０を有していても、下の段の座席用貫材４Ａと通路用貫材４Ｂとが何れもその傾斜ブレース１０と干渉せずに下の段の支柱７がその傾斜ブレース１０の前の位置まで後退できるので、複数段の床台１が互いに上下方向に整列する後退位置に位置する際に、床台１間で前後のずれが生じないため、移動観覧席をコンパクトに収納することができる。
【００３８】
図９（ａ），（ｂ）は、図１〜８に示す上記実施例の一変形例の移動観覧席の中間の段で、通路用床材が通路用腕材によって通路用貫材に支持されている状態を示す側面図および背面図、また図１０（ａ），（ｂ）は、図９（ａ）の通路用腕材によって通路用貫材に支持されている通路用床材の、人の荷重が加わっていない状態および加わっている状態をそれぞれ拡大して示す側面図であり、図中、上記実施例におけると同様の部分はそれと同一の符号にて示す。この変形例の移動観覧席は、腕材支持ローラー１５とコイルスプリング２０とを腕材取付け金具１３で支持する支持構造のみ上記実施例と異なっており、他の点では上記実施例と同様に構成されているので、以下には主としてその異なる点のみを説明する。
【００３９】
すなわち、この変形例では、通路用腕材５Ｂを支持する腕材支持ローラー１５が、上方から見てコ字状をなす揺動ブラケット２２の上部に軸支され、その揺動ブラケット２２が、ローラー支持金具としての腕材取付け金具１３に、その揺動ブラケット２２の上部が上下方向へ揺動すると下部が水平方向へ揺動するように上部の一側部（図９（ａ），図１０（ａ）では右側部）を揺動自在に軸支されており、その揺動ブラケット２２の下部の側面に頭部を溶接固定したボルト１７のネジ部を、腕材取付け金具１３の側部に形成したＵ溝に挿通して、そのネジ部に螺合した一つのナット１８で腕材取付け金具１３の外側面に掛止することで、腕材支持ローラー１５が高さ調節可能とされている。
【００４０】
また、腕材支持ローラー１５は、ボルト１７のネジ部に挿通した弾性部材としてのコイルスプリング２０を揺動ブラケット２２の下部の側面と腕材取付け金具１３の側部との間に介挿することで、そのコイルスプリング２０により上向きに付勢されており、これにより腕材支持ローラー１５は、複数段の床台１が上記後退位置にある状態であらかじめナット１８を締め込むことによりコイルスプリング２０を圧縮しながら下げられ、その後、複数段の床台１が上記進出位置にある状態でナット１８を緩めることによりコイルスプリング２０の弾性力で上昇し、上側の段の通路用腕材５Ｂの下面に当接してその通路用腕材５Ｂを弾性的に支持する。
【００４１】
かかる変形例の構成によれば、上記実施例と同様の作用効果に加えて、腕材支持ローラー１５の下降移動によりコイルスプリング２０が水平方向へ弾性圧縮変形されるので、腕材支持ローラー１５を上側の段の通路用腕材５Ｂの下面に当接させるとともにコイルスプリング２０を予備変形させるように揺動ブラケット２２の所期位置を調節する際にその調節を水平方向からナット１８を回転させて行い得て、その調節を容易に行うことができる。
【００４２】
図１１は、この発明の移動観覧席の他の一実施例の中間の二段の支柱から上の部分を椅子を省略して示す斜視図、図１２（ａ），（ｂ）は、上記実施例の移動観覧席の中間の段で、通路用床材が通路用腕材によって通路用貫材に支持されている状態を示す側面図および背面図、そして図１３（ａ），（ｂ）は、図１２（ａ）の通路用腕材によって通路用貫材に支持されている通路用床材の、人の荷重が加わっていない状態および加わった状態をそれぞれ拡大して示す側面図であり、図中、先の実施例におけると同様の部分はそれと同一の符号にて示す。この実施例の移動観覧席は、貫材４が座席用と通路用とに共用されている点のみ先の実施例と異なっており、他の点では先の実施例と同様に構成されているので、以下には主としてその異なる点のみを説明する。
【００４３】
すなわち、この実施例の移動観覧席では、各床台１が、支柱７の上端部の前面に結合された１本のみの貫材４を有している。また各床台１が、腕材５として座席用腕材５Ａと通路用腕材５Ｂとを有するとともに、床材６として、互いに独立した座席用床材６Ａと通路用床材６Ｂとを有している。そして、座席用床材６Ａは座席用腕材５Ａによって貫材４に支持される一方、通路用床材６Ｂは通路用腕材５Ｂによって貫材４に支持され、これによって貫材４が座席用と通路用とに共用されている。
【００４４】
しかしてこの実施例では、各腕材５（座席用腕材５Ａおよび通路用腕材５Ｂ）は、図１２および図１３に示すように、腕材５の後端部に溶接したブラケット１２を、上部が段付きの角筒状に鋼板から組み立てた腕材取付け金具１３の下端部に上下方向揺動可能に軸支し、その腕材取付け金具１３を貫材４に二本のボルトで固定することで、貫材４に結合されており、腕材取付け金具１３の後端部には、腕材５の揺動限位置を規定して腕材５の水平を出すためにストッパーボルト１４を、下方への突出量を調整可能に設けている。また腕材取付け金具１３の上部の段部は、上側の段の腕材５を進退移動可能に支持する腕材支持ローラー１５を支持しており、このため腕材取付け金具１３は、ローラー支持金具としても機能する。
【００４５】
そして、先の実施例と同様に、座席用腕材５Ａについては、腕材支持ローラー１５が、貫材４の延在方向へ延在する水平軸線周りに回転自在に、後方から見てコ字状をなす昇降ブラケット１６に軸支され、その昇降ブラケット１６の側部を腕材取付け金具１３の段部より上の側面に摺接させることで、腕材支持ローラー１５の向きを座席用腕材５Ａの延在方向に維持するとともに、その昇降ブラケット１６の底部に頭部を溶接固定したボルト１７を、そのネジ部に螺合した二つのナット１８で腕材取付け金具１３の段部に高さ調節可能に固定し、この腕材支持ローラー１５を上側の段の座席用腕材５Ａの下面に当接させることで、その座席用腕材５Ａを高い剛性で支持している。
【００４６】
その一方、通路用腕材５Ｂについては、図１２および図１３に示すように、腕材支持ローラー１５が、貫材４の延在方向へ延在する水平軸線周りに回転自在に昇降ブラケット１６に軸支され、その昇降ブラケット１６の側部を腕材取付け金具１３の段部より上の側面に摺接させることで、腕材支持ローラー１５の向きを通路用腕材５Ｂの延在方向に維持するものの、この腕材支持ローラー１５は、その昇降ブラケット１６の底部に頭部を溶接固定したボルト１７をそのネジ部に螺合した一つのナット１８で腕材取付け金具１３の段部の下面に掛止することで高さ調節可能とされている。
【００４７】
また腕材支持ローラー１５は、上記ボルト１７のネジ部の下部を挿通される貫通孔を持つボルト支持板１９を腕材取付け金具１３の内部に固設することで、腕材取付け金具１３に昇降移動自在にかつ倒れないように支持され、さらにボルト１７のネジ部に挿通した弾性部材としてのコイルスプリング２０を昇降ブラケット１６の下面と腕材取付け金具１３の段部の上面との間に介挿することで、そのコイルスプリング２０により上向きに付勢されており、これにより腕材支持ローラー１５は、複数段の床台１が上記後退位置にある状態であらかじめナット１８を締め込むことによりコイルスプリング２０を圧縮しながら下げられ、その後、複数段の床台１が上記進出位置にある状態でナット１８を緩めることによりコイルスプリング２０の弾性力で上昇し、上側の段の通路用腕材５Ｂの下面に当接してその通路用腕材５Ｂを弾性的に支持する。
【００４８】
かかるこの実施例の移動観覧席にあっては、先の実施例と同様に、複数段の床台１の各々の、通路を形成する部分である通路用床材６Ｂを支持する通路用腕材５Ｂに下側から当接する腕材支持ローラー１５が、ローラー支持金具としても機能する腕材取付け金具１３に昇降移動自在に支持され、それら腕材支持ローラー１５と腕材取付け金具１３との間に、腕材支持ローラー１５の下降移動により弾性圧縮変形されるようにコイルスプリング２０が介挿されていることから、複数段の床台１が互いに階段状にずれる進出位置で、図１３（ｂ）に示すように、それらの床台１の床材６のうち、階段状の通路を形成する通路用床材６Ｂを観客が歩いて上り下りしてその通路用床材６Ｂに荷重Ｗが加わり、特に観客が通路を下る際にその荷重Ｗが衝撃的なものとなっても、その荷重Ｗで腕材支持ローラー１５が下降移動するとともにコイルスプリング２０が弾性圧縮変形して、腕材取付け金具１３が受ける荷重の起ち上がりを穏やかにする。このため、通路用貫材４Ｂの高い剛性によって支持された腕材取付け金具１３にはその通路用床材６Ｂへの荷重Ｗによる振動が殆ど伝わらず、それゆえ床材６のうち、座席用貫材４Ａに別個の座席用腕材５Ａを介して高い剛性で支持されている、椅子３が設けられた座席用床材６Ａには、振動は殆どもしくは全く伝達されない。
【００４９】
従って、この実施例の移動観覧席によっても、観客が床材６のうち通路用床材６Ｂ上を歩いて階段状の通路を上り下りしても、その通路用床材６Ｂに加わる荷重Ｗによる振動が床材６のうち座席用床材６Ａに伝わって椅子３の着座者が揺れを感じることがないので、着座者の安定感を向上させることができる。また通路用床材６Ｂを観客が歩いて上り下りする際に、その通路用床材６Ｂに加わる荷重の起ち上がりをコイルスプリング２０が穏やかにするので、観客の足に通路用床材６Ｂから加わる反力の起ち上がりも穏やかにし得て、通路を歩く観客の膝への負担も軽減することができる。
【００５０】
しかも、この実施例の移動観覧席にあっては、複数段の床台１の各々が有する互いに独立した座席用床材６Ａと通路用床材６Ｂとが、座席用腕材５Ａと通路用腕材５Ｂとによって１本の貫材４にそれぞれ支持されているので、複数段の床台１が互いに階段状にずれる進出位置で、それらの床台１の通路用床材６Ｂが補助ステップ２１とともに形成する階段状の通路を観客が歩いて上り下りしてその通路用床材６Ｂが、通路用腕材５Ｂを支持する腕材支持ローラー１５と腕材取付け金具１３との間のコイルスプリング２０の弾性圧縮変形により上下に振動しても、その振動が腕材取付け金具１３を介して１本の貫材４に伝達された段階で貫材４の高い剛性によって概ねなくなり、その貫材４に別個の座席用腕材５Ａを介して支持された座席用床材６Ａには、殆どもしくは全く伝達されない。
【００５１】
従って、この実施例の移動観覧席によっても、観客が通路用床材６Ｂ上を歩いて階段状の通路を上り下りしても、その通路用床材６Ｂの振動が座席用床材６Ａに伝わって椅子３の着座者が揺れを感じることがないので、着座者の安定感を向上させることができる。そしてこの実施例によれば、支柱７の上端部の長さを貫材４の一本分の高さに対応させれば済むため、必要に応じて上下の段の床台１間の段差をより小さくし得て、移動観覧席の全体的な高さをより低く抑えることができ、しかも各床台１の貫材４が１本のみなので、移動観覧席を簡易かつ安価に構成することができる。
【００５２】
図１４（ａ），（ｂ）は、図１１〜１３に示す上記実施例の一変形例の移動観覧席の中間の段で、通路用床材が通路用腕材によって通路用貫材に支持されている状態を示す側面図および背面図、また図１５（ａ），（ｂ）は、図１４（ａ）の通路用腕材によって通路用貫材に支持されている通路用床材の、人の荷重が加わっていない状態および加わっている状態をそれぞれ拡大して示す側面図であり、図中、上記実施例におけると同様の部分はそれと同一の符号にて示す。この変形例の移動観覧席は、腕材支持ローラー１５とコイルスプリング２０とを腕材取付け金具１３で支持する支持構造のみ上記実施例と異なっており、他の点では上記実施例と同様に構成されているので、以下には主としてその異なる点のみを説明する。
【００５３】
すなわち、この変形例では、通路用腕材５Ｂを支持する腕材支持ローラー１５が、上方から見てコ字状をなす揺動ブラケット２２の上部に軸支され、その揺動ブラケット２２が、ローラー支持金具としての腕材取付け金具１３に、その揺動ブラケット２２の上部が上下方向へ揺動すると下部が水平方向へ揺動するように上部の一側部（図９（ａ），図１０（ａ）では右側部）を揺動自在に軸支されており、その揺動ブラケット２２の下部の側面に頭部を溶接固定したボルト１７のネジ部を、腕材取付け金具１３の側部に形成したＵ溝に挿通して、そのネジ部に螺合した一つのナット１８で腕材取付け金具１３の外側面に掛止することで、腕材支持ローラー１５が高さ調節可能とされている。
【００５４】
また、腕材支持ローラー１５は、ボルト１７のネジ部に挿通した弾性部材としてのコイルスプリング２０を揺動ブラケット２２の下部の側面と腕材取付け金具１３の側部との間に介挿することで、そのコイルスプリング２０により上向きに付勢されており、これにより腕材支持ローラー１５は、複数段の床台１が上記後退位置にある状態であらかじめナット１８を締め込むことによりコイルスプリング２０を圧縮しながら下げられ、その後、複数段の床台１が上記進出位置にある状態でナット１８を緩めることによりコイルスプリング２０の弾性力で上昇し、上側の段の通路用腕材５Ｂの下面に当接してその通路用腕材５Ｂを弾性的に支持する。
【００５５】
かかる変形例の構成によっても、上記実施例と同様の作用効果に加えて、腕材支持ローラー１５の下降移動によりコイルスプリング２０が水平方向へ弾性圧縮変形されるので、腕材支持ローラー１５を上側の段の腕材の下面に当接させるとともにコイルスプリング２０を予備変形させるように揺動ブラケット２２の所期位置を調節する際にその調節を水平方向からナット１８を回転させて行い得て、その調節を容易に行うことができる。
【００５６】
図１６（ａ），（ｂ）は、図１１〜１３に示す上記実施例の他の一変形例の移動観覧席の中間の段で、通路用腕材によって通路用貫材に支持されている通路用床材の、人の荷重が加わっていない状態および加わった状態をそれぞれ拡大して示す側面図であり、図中、上記実施例におけると同様の部分はそれと同一の符号にて示す。この変形例の移動観覧席は、弾性部材として単独のコイルスプリング２０を用いず振動減衰機能を持つものを用いる点で上記実施例と異なっており、他の点では上記実施例と同様に構成されているので、以下には主としてその異なる点のみを説明する。
【００５７】
すなわち、この変形例では、腕材支持ローラー１５は、貫通孔を持つダンパー支持板２３を腕材取付け金具１３の内部でボルト支持板１９の下側に固設し、そのダンパー支持板２３の貫通孔にスプリング機能付きダンパー２４をナットで高さ調節可能に固定して、このスプリング機能付きダンパー２４のピストンロッド先端部に設けたキャップを、昇降ブラケット１６の底部に頭部を溶接固定したボルト１７のネジ部の下端面に当接させることで、そのスプリング機能付きダンパー２４により上向きに付勢されており、スプリング機能付きダンパー２４は、本体内へのピストンロッドの押し込みに対しその本体内のピストンで押されるオイルの流動等で抵抗力を加えるとともに、本体内あるいは外付けの金属スプリングや本体内のガス等のスプリング機能によってピストンロッドに復帰力をもたらす。これにより腕材支持ローラー１５は、複数段の床台１が上記後退位置にある状態であらかじめナット１８を締め込むことでスプリング機能付きダンパー２４のピストンロッドを押し込みながら下げられ、その後、複数段の床台１が上記進出位置にある状態でナット１８を緩めることによりピストンロッド復帰力で上昇し、上側の段の通路用腕材５Ｂの下面に当接してその通路用腕材５Ｂを弾性的に支持する。
【００５８】
かかるこの変形例の構成によれば、上記実施例と同様の作用効果に加えて、弾性部材がスプリング機能付きダンパー２４であり、スプリング機能付きダンパー２４はそのピストンロッドで、腕材支持ローラー１５および通路用腕材５Ｂを介して通路用床材６Ｂの振動に抵抗力を加えるので、観客の上り下り歩行による通路用床材６Ｂの振動を短時間で減衰させることができる。また、スプリング機能付きダンパー２４は、ダンパー支持板２３の貫通孔に挿通することで所定位置に配置することができるので、弾性部材を腕材支持ローラー１５と腕材取付け金具１３との間に介挿する構造を簡易かつコンパクトに構成することができる。
【００５９】
以上、図示例に基づき説明したが、この発明は上述の例に限定されるものでなく、特許請求の範囲の記載範囲内で適宜変更し得るものであり、例えば、弾性部材は腕材支持ローラーの下降によって弾性圧縮変形でなく弾性引っ張り変形や弾性曲げ変形あるいは弾性ねじり変形するように配置しても良い。また、スプリング機能付きダンパー２４は図１〜８に示す先の実施例に上記変形例と同様にして設けても良く、弾性部材はコイルスプリング２０やスプリング機能付きダンパー２４でなくゴム状弾性体等で構成しても良い。さらにローラー支持金具に、弾性部材が塑性変形域まで変形するのを防止するために、腕材支持ローラーの下降限位置を規定するストッパーを設けても良い。そして腕材支持ローラーを支持するローラー支持金具は、腕材５の後端部に溶接したブラケット１２を下端部で上下方向揺動可能に軸支する腕材取付け金具１３と横並びにして、その腕材取付け金具１３と別個に設けても良い。
【００６０】
さらに、上記例では何れも座席用腕材５Ａの後端部と通路用腕材５Ｂの後端部とを座席用貫材４Ａと通路用貫材４Ｂとにそれぞれ結合し、あるいは１本のみの貫材４にそれぞれ結合したが、座席用腕材５Ａの後端部を、腕材毎に設けた支柱７に結合し、あるいはその支柱７と、座席用貫材４Ａまたは貫材４との両方に結合しても良く、また通路用腕材５Ｂの後端部を、腕材毎に設けた支柱７に結合し、あるいはその支柱７と、通路用貫材４Ｂまたは貫材４との両方に結合しても良い。そして、上記例では何れも床材６が座席用床材６Ａと通路用床材６Ｂとに分かれているが、床材６が、座席用床材６Ａと通路用床材６Ｂとに分かれていず、座席用部分と通路用部分とを一体に有していても良い。
【産業上の利用可能性】
【００６１】
かくしてこの発明の移動観覧席によれば、観客が床材の通路用部分上を歩いて階段状の通路を上り下りしても、その通路用部分に加わる荷重による振動が床材の座席用部分に伝わって椅子の着座者が揺れを感じることがないので、着座者の安定感を向上させることができる。また床台の床材の、階段状の通路を形成する通路用部分を観客が歩いて上り下りする際に、その通路用部分に加わる荷重の起ち上がりを弾性部材が穏やかにするので、観客の足に通路から加わる反力の起ち上がりも穏やかにし得て、通路を歩く観客の膝への負担も軽減することができる。
【符号の説明】
【００６２】
１  床台
２  脚部
３  椅子
４  貫材
４Ａ  座席用貫材
４Ｂ  通路用貫材
５  腕材
５Ａ  座席用腕材
５Ｂ  通路用腕材
６  床材
６Ａ  座席用床材
６Ｂ  通路用床材
６Ｃ  見切り材
７  支柱
８  脚材
９  移動用ローラー
１０  傾斜ブレース
１１  ガイドレール
１２  ブラケット
１３  腕材取付け金具
１４  ストッパーボルト
１５  腕材支持ローラー
１６  昇降ブラケット
１７  ボルト
１８  ナット
１９  ボルト支持板
２０  コイルスプリング
２１  補助ステップ
２２  揺動ブラケット
２３  ダンパー支持板
２４  スプリング機能付きダンパー
Ｆ  床面
Ｗ  荷重
【図１】
2011117228.tif 000003
【図２】
2011117228.tif 000004
【図３】
2011117228.tif 000005
【図４】
2011117228.tif 000006
【図５】
2011117228.tif 000007
【図６】
2011117228.tif 000008
【図７】
2011117228.tif 000009
【図８】
2011117228.tif 000010
【図９】
2011117228.tif 000011
【図１０】
2011117228.tif 000012
【図１１】
2011117228.tif 000013
【図１２】
2011117228.tif 000014
【図１３】
2011117228.tif 000015
【図１４】
2011117228.tif 000016
【図１５】
2011117228.tif 000017
【図１６】
2011117228.tif 000018
【図１７】
2011117228.tif 000019
【図１８】
2011117228.tif 000020